(57)【要約】  ワイヤレスローカルエリアネットワークを介してアクセス可能なストレージ能力をアドバタイズするための方法、そのような方法を実装するためのアクセスポイント、端末、およびコンピュータプログラム製品。少なくとも１つのワイヤレスアクセスポイント（ＡＰ１）を備えるワイヤレスローカルエリアネットワーク（ＷＬＡＮ１）を介してアクセス可能な少なくとも１つのストレージ（ＳＴ１）の能力をアドバタイズするための方法であって、このワイヤレスアクセスポイントがこのネットワークを指定するワイヤレスローカルエリアネットワーク識別子を含むビーコンフレームを定期的に送信する、方法は、ワイヤレスアクセスポイント（ＡＰ１）により送信される各ビーコンフレーム内に、このワイヤレスローカルエリアネットワーク識別子により指定されるワイヤレスローカルエリアネットワーク（ＷＬＡＮ１）を介してアクセス可能な少なくとも１つのストレージ（ＳＴ１）の能力を記述するデータを挿入するステップを備える。
2017509273.tif 000002
【特許請求の範囲】
【請求項１】
少なくとも１つのワイヤレスアクセスポイント（ＡＰ１）を備えるワイヤレスローカルエリアネットワーク（ＷＬＡＮ１）を介してアクセス可能な少なくとも１つのストレージ（ＳＴ）の能力をアドバタイズするための方法であって、このワイヤレスアクセスポイントがこのネットワークを指定するワイヤレスローカルエリアネットワーク識別子を含むビーコンフレームを定期的に送信し、
この方法が、ワイヤレスアクセスポイント（ＡＰ１）により送信されるビーコンフレーム内に、このワイヤレスローカルエリアネットワーク識別子により指定されるワイヤレスローカルエリアネットワーク（ＷＬＡＮ１）を介してアクセス可能な少なくとも１つのストレージ（ＳＴ１）の能力を記述するデータを挿入するステップを備えることを特徴とする、方法。
【請求項２】
ワイヤレス端末（ＷＴ）においてビーコンフレームを受信するステップと、
このネットワークを指定するワイヤレスローカルエリアネットワーク識別子を抽出するステップと、
受信されたビーコンフレームから、ワイヤレスローカルエリアネットワーク（ＷＬＡＮ１）を介してアクセス可能なストレージ（ＳＴ１）の能力を記述するデータを抽出するステップと
をさらに備える、請求項１に記載の方法。
【請求項３】
ワイヤレスローカルエリアネットワーク（ＷＬＡＮ１）が規格ファミリＩＥＥＥ８０２．１１に準拠し、この方法が、少なくとも１つのストレージ（ＳＴ１）の能力を記述するデータを、規格ファミリＩＥＥＥ８０２．１１ｘにより規定される情報要素の少なくとも１つのサブ要素内で搬送するステップを備える、請求項１に記載の方法。
【請求項４】
サブ要素により搬送されるデータが、アクセスポイント（ＡＰ１）を介してアクセス可能な少なくとも１つのストレージ（ＳＴ１）の以下の能力：
このストレージの総ストレージ領域、
空きストレージ領域、
このストレージのファイルシステム、
このストレージのタイプ、
ファイルがこのストレージから自動的に除去される前にホストされ得る期間、
アクセス時間、
入力／出力スループット
のうちの少なくとも１つを表す、請求項１に記載の方法。
【請求項５】
ワイヤレスローカルエリアネットワークのためのアクセスポイント（ＡＰ１）であって、
ワイヤレスローカルエリアネットワーク識別子を格納し、
この格納されたワイヤレスローカルエリアネットワーク識別子を、このワイヤレスアクセスポイントにより送信される各ビーコンフレームに挿入する
ように構成されるプロセッサを備え、このプロセッサが、
このワイヤレスローカルエリアネットワーク識別子により指定されるワイヤレスローカルエリアネットワークを介してアクセス可能な少なくとも１つのストレージの能力を記述するデータを格納し、
このワイヤレスアクセスポイントにより送信されるビーコンフレームに、このワイヤレスローカルエリアネットワーク識別子により指定されるワイヤレスローカルエリアネットワークを介してアクセス可能な少なくとも１つのストレージの能力を記述する格納されたデータを挿入する
ようにさらに構成されることを特徴とする、アクセスポイント（ＡＰ１）。
【請求項６】
規格ファミリＩＥＥＥ８０２．１１ｘに準拠するワイヤレスローカルエリアネットワークのための、少なくとも１つのストレージ（ＳＴ１）の能力を記述するデータを規格ファミリＩＥＥＥ８０２．１１ｘによる情報要素の少なくとも１つのサブ要素に挿入するように構成されるプロセッサを備える、請求項５に記載のアクセスポイント（ＡＰ１）。
【請求項７】
ワイヤレス端末（ＷＴ）であって、
ワイヤレスローカルエリアネットワーク（ＷＬＡＮ）のワイヤレスアクセスポイント（ＡＰ１、．．．、ＡＰ４）により送信されるビーコンフレームを受信し、
受信されたビーコンフレームからワイヤレスローカルエリアネットワーク識別子を抽出する
ように構成されるプロセッサを備えることを特徴とし、プロセッサが、
ビーコンフレーム内で、ストレージ能力に関する情報を搬送するデータ（ＳＣＡＩＥ１、ＳＣＡＩＥ２）を認識し、
認識されたデータから、ストレージ能力に関する情報を抽出する
ようにさらに構成されることを特徴とする、ワイヤレス端末（ＷＴ）。
【請求項８】
規格ファミリＩＥＥＥ８０２．１１ｘに準拠し、
ストレージ能力に関する情報を搬送するデータ（ＳＣＡＩＥ１）を認識するために、プロセッサが、ビーコンフレーム内で、ストレージ能力をアドバタイズする全ての情報要素について値が特定のものであるヘッダを有する情報要素（ＳＣＡＩＥ１）を検出するように構成され、
認識されたデータからストレージ能力に関する情報を抽出するために、プロセッサが、検出された情報要素（ＳＣＡＩＥ１）により搬送されるサブ要素（ＳＵＢ１、ＳＵＢ２）からこの情報を抽出するように構成される、請求項７に記載のワイヤレス端末。
【請求項９】
規格ファミリＩＥＥＥ８０２．１１ｘに準拠し、
ストレージ能力に関する情報を搬送するデータ（ＳＣＡＩＥ２）を認識するために、プロセッサが、
ビーコンフレーム内で、ベンダ固有コンテンツを搬送する全ての情報要素について値が特定のものであるヘッダを有する情報要素（ＳＣＡＩＥ２）を検出し、
検出された情報要素（ＳＣＡＩＥ２）内で、所定の組織識別子を検出する
ように構成され、
認識されたデータからストレージ能力に関する情報を抽出するために、プロセッサが、検出された情報要素（ＳＣＡＩＥ２）により搬送されるサブ要素（ＳＵＢ１、ＳＵＢ２）からこの情報を抽出するように構成される、請求項７に記載のワイヤレス端末。
【請求項１０】
プロセッサが、いくつかのワイヤレスローカルエリアネットワークの中のワイヤレスローカルエリアネットワークを、これらのワイヤレスローカルエリアネットワークのそれぞれのストレージ能力に関するアドバタイズされた情報に応じて自動的に選択するようにさらに構成される、請求項７に記載のワイヤレス端末。
【請求項１１】
ワイヤレスローカルエリアネットワークのためのアクセスポイント（ＡＰ１）のためのコンピュータプログラム製品であって、
このワイヤレスローカルエリアネットワークを指定するワイヤレスローカルエリアネットワーク識別子を格納するステップと、
格納されたワイヤレスローカルエリアネットワーク識別子を、このワイヤレスアクセスポイントにより送信される各ビーコンフレームに挿入するステップと
を実施するためのコンピュータ実行可能命令を備え、
このワイヤレスローカルエリアネットワーク識別子により指定されるワイヤレスローカルエリアネットワーク（ＷＬＡＮ１）を介してアクセス可能な少なくとも１つのストレージ（ＳＴ１）の能力を記述するデータを格納するステップと、
このワイヤレスアクセスポイントにより送信されるビーコンフレームに、このワイヤレスローカルエリアネットワーク識別子により指定されるワイヤレスローカルエリアネットワークを介してアクセス可能な少なくとも１つのストレージ（ＳＴ１）の能力を記述する格納されたデータを挿入するステップと
を実施するためのコンピュータ実行可能命令をさらに備えることを特徴とする、コンピュータプログラム製品。
【請求項１２】
規格ファミリＩＥＥＥ８０２．１１ｘに準拠するワイヤレスローカルエリアネットワーク（ＷＬＡＮ１）のための、少なくとも１つのストレージ（ＳＴ）の能力を記述するデータを規格ファミリＩＥＥＥ８０２．１１ｘによる情報要素の少なくとも１つのサブ要素に挿入するステップを、プログラムがコンピュータ上で実行された場合に実施するためのコンピュータ実行可能命令を備える、請求項１１に記載のコンピュータプログラム製品。
【請求項１３】
ワイヤレス端末（ＷＴ）のためのコンピュータプログラム製品であって、
ワイヤレス端末（ＷＴ）においてビーコンフレームを受信するステップと、
受信されたビーコンフレームからワイヤレスローカルエリアネットワークを指定するワイヤレスローカルエリアネットワーク識別子を抽出するステップと
を、プログラムがコンピュータ上で実行された場合に実施するためのコンピュータ実行可能命令を備え、
受信されたビーコンフレームから、抽出されたワイヤレスローカルエリアネットワーク識別子により指定されるワイヤレスローカルエリアネットワーク（ＷＬＡＮ）を介してアクセス可能なストレージ（ＳＴ）の能力を記述するデータを抽出するステップを実施するためのコンピュータ実行可能命令をさらに備えることを特徴とする、コンピュータプログラム製品。
【請求項１４】
規格ファミリＩＥＥＥ８０２．１１ｘに準拠するワイヤレス端末のための、
ストレージ能力に関する情報を搬送するデータ（ＳＣＡＩＥ１）を認識するステップであって、プロセッサが、ビーコンフレーム内で、ストレージ能力をアドバタイズする全ての情報要素について値が特定のものであるヘッダを有する情報要素（ＳＣＡＩＥ１）を検出するように構成される、認識するステップと、
認識されたデータからストレージ能力に関する情報を抽出するステップであって、プロセッサが、検出された情報要素（ＳＣＡＩＥ１）により搬送されるサブ要素（ＳＵＢ１、ＳＵＢ２）からこの情報を抽出するように構成される、抽出するステップと
を、プログラムがコンピュータ上で実行された場合に実施するためのコンピュータ実行可能命令を備える、請求項１３に記載のコンピュータプログラム製品。
【請求項１５】
規格ファミリＩＥＥＥ８０２．１１ｘに準拠するワイヤレス端末のための、
ストレージ能力に関する情報を搬送するデータ（ＳＣＡＩＥ２）を認識するステップであって、プロセッサが、
ビーコンフレーム内で、ベンダ固有コンテンツを搬送する全ての情報要素について値が特定のものであるヘッダを有する情報要素（ＳＣＡＩＥ２）を検出し、
検出された情報要素（ＳＣＡＩＥ２）内で、所定の組織識別子を検出する
ように構成される、認識するステップと、
認識されたデータからストレージ能力に関する情報を抽出するステップであって、プロセッサが、検出された情報要素（ＳＣＡＩＥ２）により搬送されるサブ要素（ＳＵＢ１、ＳＵＢ２）からこの情報を抽出するように構成される、抽出するステップと
を、プログラムがコンピュータ上で実行された場合に実施するためのコンピュータ実行可能命令を備える、請求項１３に記載のコンピュータプログラム製品。
【発明の詳細な説明】
【技術分野】
【０００１】
本発明は、一般的に、ワイヤレスローカルエリアネットワーク、たとえば、規格ファミリＩＥＥＥ８５０２．１１ｘ（ｘは「ｂ」、「ｇ」、「ｎ」、「ａｃ」など）において規格化され、ＷｉＦｉという名称で市販されているものに関する。
【背景技術】
【０００２】
ネットワークに接続されたストレージは今日、ＷｉＦｉワイヤレスローカルエリアネットワークにますます配備されており、これらのネットワークは、オープンアクセス（たとえば、公共の場におけるホットスポット）を提供し、またはコミュニティ制限アクセス（たとえば、所与のインターネットサービスプロバイダの加入者に制限されたアクセス）を提供する。また、ますます、住宅用ホームゲートウェイおよびスモールオフィス／ホームオフィスゲートウェイは、ＷｉＦｉアクセスおよびストレージの両方を提供している。
【０００３】
しかしながら、所与のＷｉＦｉアクセスポイントを介してアクセス可能なストレージリソース／デバイスの能力（プレゼンス、可用性、容量など）は、このＷｉＦｉアクセスポイントに接続することを許可されているユーザにより事前に知られていない。このＷｉＦｉアクセスポイントの所有者および／または管理者、あるいはその背後にあるローカルエリアネットワークの所有者および／または管理者のみが、この知識を有する。
【０００４】
１つの可能な解決方法は、所与のＷｉＦｉアクセスポイントを介してアクセス可能なストレージリソース／デバイスの存在および能力を、独立した媒体を用いてアドバタイズすることであろう。１つの例示的な例として、ＷｉＦｉアクセスポイントに接続されると、ユーザは、ブラウザを開いた際に、このアクセスポイントを介してアクセス可能なストレージリソース／デバイスの能力を記述したページによって促され得る。しかしながら、この解決方法は欠点がある：関連するＷｉＦｉアクセスポイントに接続済みにならずに、ストレージ能力を知ることは不可能である。これは、所与の場所で複数のＷｉＦｉネットワークが利用可能である、現在とてもありふれた状況では特に煩雑である。そのような状況では、ユーザは、様々なＷｉＦｉネットワークに接続（および切断）してそれぞれのストレージ能力を知ることが必要となる。
【発明の概要】
【発明が解決しようとする課題】
【０００５】
したがって、ワイヤレスローカルエリアネットワークを介してアクセス可能なストレージリソース／デバイスの能力をアドバタイズするためのより良好な技術的解決方法を提供する必要がある。
【０００６】
これは、本発明による方法を適用することで解決することができる。
【課題を解決するための手段】
【０００７】
本発明の第１の目的は、少なくとも１つのワイヤレスアクセスポイントを備えるワイヤレスローカルエリアネットワークを介してアクセス可能な少なくとも１つのストレージリソースの能力をアドバタイズするための方法であって、このワイヤレスアクセスポイントがこのネットワークを指定するワイヤレスローカルエリアネットワーク識別子を含むビーコンフレームを定期的に送信し、
この方法が、ワイヤレスアクセスポイントにより送信されるビーコンフレーム内に、このワイヤレスローカルエリアネットワーク識別子により指定されるワイヤレスローカルエリアネットワークを介してアクセス可能な少なくとも１つのストレージの能力を記述するデータを挿入するステップを備えることを特徴とする、方法である。
【０００８】
ビーコンフレーム内で、ネットワークを指定するワイヤレスローカルエリアネットワーク識別子と、このネットワークに接続されたストレージ能力を記述するデータとを組み合わせることによって、端末は、近傍のワイヤレスネットワークに接続されたストレージ能力を、これらのワイヤレスネットワークへの事前の接続を確立する必要なく特定することができる。ストレージリソースがそれぞれ接続されたいくつかのワイヤレスローカルエリアネットワークが利用可能な場合、端末は、有利なことに、ストレージリソースを含むネットワークリソース、およびリモートストレージサービスの面でのクライアントの目標の間で最良の適合を示すワイヤレスネットワークを選択することができる。
【０００９】
本発明の第２の目的は、本発明による方法を実装するためのワイヤレスアクセスポイントである。
【００１０】
本発明の第３の目的は、本発明による方法を実装するためのワイヤレス端末である。
【００１１】
本発明の他の特徴および利点は、本発明の実施形態の以下の詳細な説明から、添付の図面と併用された場合に、より明らかとなろう。
【００１２】
本発明の実施形態の特徴および利点を詳細に説明するために、以下の説明は、添付の図面を参照することになる。可能な場合、同様または類似の参照数字は、図面および説明全体にわたって、同一または類似の構成要素を指定する。
【図面の簡単な説明】
【００１３】
【図１】本発明による方法が適用される例示的なワイヤレスローカルエリアネットワークを表す図である。
【図２】規格ファミリＩＥＥＥ８０２．１１ｘによる情報要素の汎用フォーマットを表す図である。
【図３】規格ファミリＩＥＥＥ８０２．１１ｘによる、ベンダに固有の特有情報要素の汎用フォーマットを表す図である。
【図４】規格ファミリＩＥＥＥ８０２．１１ｘによる、サブ要素の汎用フォーマットを表す図である。
【図５】本発明による方法の第１の実施形態による、新たに定義されたストレージ能力アドバタイズ情報要素のフォーマットの図である。
【図６】本発明による方法の第２の実施形態による、新たに定義されたストレージ能力アドバタイズ情報要素のフォーマットの図である。
【発明を実施するための形態】
【００１４】
実施形態の以下の説明は、ＷｉＦｉ技術に焦点を当てているが、本発明による方法は、他の種類のワイヤレスネットワーク、特に加入者ベースでない、サービスエリアが制限されたワイヤレスネットワークにも適用することができる。
【００１５】
図１は、本発明による方法が適用される４つの例示的なワイヤレスローカルエリアネットワークＷＬＡＮ１、ＷＬＡＮ２、ＷＬＡＮ３、ＷＬＡＮ４を表す。ワイヤレスローカルエリアネットワークＷＬＡＮ１は、アクセスポイントＡＰ１とストレージＳＴ１とを備える。ワイヤレスローカルエリアネットワークＷＬＡＮ２は、アクセスポイントＡＰ２とストレージＳＴ２とを備える。ワイヤレスローカルエリアネットワークＷＬＡＮ３は、アクセスポイントＡＰ３とストレージＳＴ３とを備える。ワイヤレスローカルエリアネットワークＷＬＡＮ４は、アクセスポイントＡＰ４とストレージＳＴ４とを備える。これらのローカルエリアネットワークは、古典的な、この図には示されていない他のネットワーク要素を備える。
【００１６】
本発明による一例示的ワイヤレス端末ＷＴは、この例では４つのアクセスポイントＡＰ１、．．．、ＡＰ４の接続領域内にある。ワイヤレス端末ＷＴは、ＷｉＦｉアダプタ／受信機を備える、パーソナルコンピュータ、スマートフォンなどでよい。
【００１７】
ＷｉＦｉ技術は、規格ファミリＩＥＥＥ８０２．１１ｘにより定義され規定される。このＩＥＥＥ規格ファミリは、ワイヤレスネットワークのＷｉＦｉアクセスポイントの各々により定期的に送信される「ビーコンフレーム」を定義する。このビーコンフレームは、ワイヤレスネットワークＷＬＡＮに関する情報をアドバタイズする。詳細には、これは古典的には、このワイヤレスネットワークＷＬＡＮを指定するワイヤレスローカルエリアネットワーク識別子を含む。規格ファミリＩＥＥＥ８０２．１１ｘによれば、ビーコンフレームは、それぞれ様々な長さのいくつかの「情報要素」を含むこともできる。
【００１８】
図２は、規格ファミリＩＥＥＥ８０２．１１ｘによる情報要素の汎用フォーマットを表す：
−  １バイト（８ビット）のヘッダは、情報要素の識別子ＩＥＩＤ１を表す。これは０から２５５までの中から選択される値を有する。
−  １バイトが、情報要素の長さＬ１を表す。
−  任意の種類の情報ＩＮＦを表現し得るデータを搬送する可変数ｎのバイト。
【００１９】
図３は、規格ファミリＩＥＥＥ８０２．１１ｘによる、特有のタイプの情報要素、すなわちベンダに固有の情報要素の汎用フォーマットを表す：
−  １バイトの特有のヘッダは、この種類の情報要素の識別子ＩＥＩＤ２を表す：規格はその値をあらゆるベンダに対して２２１に設定する。
−  １バイトが、この情報要素の長さＬ２を表す。
−  データを搬送するｎバイトは以下を備える：
−−  組織識別子ＯＩＤ１を表すｊバイトであって、この組織識別子は一般的にはベンダを指定する。
−−  何らかのベンダ固有コンテンツＶＳＣを表すｎ−ｊバイトのデータ。
【００２０】
規格ファミリＩＥＥＥ８０２．１１ｘによれば、任意の情報要素は、情報ＩＮＦまたはＶＳＣを搬送するバイトの中に、１つまたはいくつかの「情報サブ要素」を含むことができる。
【００２１】
図４は、規格ファミリＩＥＥＥ８０２．１１ｘによるサブ要素ＳＵＢの汎用フォーマットを表す。これは以下を備える：
−  サブ要素の識別子ＳＥＩＤである１バイトのヘッダ。このサブ要素識別子ＳＥＩＤは、所与の情報要素のコンテキストでのみ意味を持つ。
−  １バイトが、サブ要素の長さＬ２を表す。
−  データＤを搬送する可変数ｍのバイト。
【００２２】
この例では、本発明による方法は、ワイヤレスアクセスポイントＡＰ１により送信される各ビーコンフレーム内に、このビーコンフレームにより古典的に搬送されるワイヤレスローカルエリアネットワーク識別子により指定されるワイヤレスローカルエリアネットワークＷＬＡＮ１を介してアクセス可能なストレージＳＴ１などの少なくとも１つのストレージの能力を記述するデータを挿入するステップを備える。
【００２３】
同様に、ストレージＳＴ２、ＳＴ３、ＳＴ４の能力を記述するデータが、ワイヤレスアクセスポイントＡＰ２、ＡＰ３、およびＡＰ４により送信される各ビーコンフレーム内にそれぞれ挿入される。
【００２４】
他の例では、少なくとも１つのストレージの能力を記述するデータは、ｋ個のビーコンフレームのうちの１つのビーコンフレームごとに挿入され、ｋは２または３などに等しい。
【００２５】
本発明による方法がＷｉＦｉワイヤレスネットワークに適用される場合、少なくとも１つのストレージの能力を記述するデータが、ＷｉＦｉビーコンフレーム内の新たに定義された情報要素に挿入される。より詳細には、この新たに定義された情報要素に組み込まれた少なくとも１つのサブ要素の内部で搬送されるデータにより、能力が表現される。
【００２６】
ＷｉＦｉビーコンフレーム内のこの新たに定義された情報要素の２つの実施形態を考えることができる：
１）第１の実施形態は、この新たに定義された情報要素のフォーマットが将来規格化される場合に使用されるべきである。
２）第２の実施形態は、この新たに定義された情報要素のフォーマットが将来規格化されない場合に使用されるべきである。
【００２７】
図５は、新たに定義された情報要素の第１の実施形態ＳＣＡＩＥのフォーマットを表す。これは、図２に示された汎用情報要素ＩＥに類似している。これは、以下を備える：
−  ストレージ能力に関する情報を搬送する全ての情報要素に対して同一である１バイトのヘッダ。このヘッダは、０と２５５との間で選択され、将来規格化されると思われる特定の値ＥＩＤ３を有する。この規格化される特定の値により、ストレージ能力をアドバタイズするあらゆる情報要素を認識できるようになる。したがって、将来の規格に準拠する任意の端末は、このヘッダを検出することで、ストレージ能力をアドバタイズする情報要素を認識できるようになる。
−  この情報要素の長さＬ３を表す１バイト。
−  ワイヤレスネットワークの総ストレージ領域、すなわち図１の例におけるストレージＳＴの容量の値を含むサブ要素ＳＵＢ１。このサブ要素は、図４に示されたサブ要素に類似している。これは、総ストレージ領域の値を搬送することを示す特定のヘッダ（図示せず）を備える。
−  サブ要素ＳＵＢ２は、ワイヤレスネットワークの空きストレージ領域、すなわち図１の例におけるストレージＳＴの空き領域の値を含む。これは、図４に示されたサブ要素に類似している。これは、空きストレージ領域の値を搬送することを示す他の特定のヘッダ（図示せず）を備える。
【００２８】
図６は、新たに定義された情報要素の第２の実施形態ＳＣＡＩＥ２のフォーマットを表す。これは、ストレージ能力に関する情報を搬送する全ての情報要素に対して特定のヘッダが将来規格化されない場合に、使用されるべきである。これは、図２に示された汎用のベンダ固有情報要素ＶＳＩＥと類似しており、ベンダ固有コンテンツが特定のものである点が異なる。これは以下を備える：
−  ベンダ固有情報要素用に規格化済みの値２２１を有するヘッダＥＩＤ２、
−  １バイトが、この情報要素の長さＬ４を表す。
−  データを搬送するｎバイトは、以下を備える：
−−  組織識別子ＯＩＤ２を表すｊバイトであって、この組織識別子は一般的にはベンダを指定する。特定の組織識別子ＯＩＤ２を認識するように構成されるワイヤレス端末のみが、この情報要素ＳＣＡＩＥ２を利用することができる。
−−  ストレージＳＴの容量をアドバタイズするサブ要素ＳＵＢ１と、ストレージＳＴの空き領域をアドバタイズするサブ要素ＳＵＢ２とを備えるｎ−ｊバイト。
【００２９】
本発明によれば、サブ要素により搬送されるデータは、このサブ要素を備える情報要素を送信するアクセスポイントを介してアクセス可能な１つまたは複数のストレージの能力のうちの少なくとも１つを表す。これらの能力は以下とすることができる：
−  ストレージＳＴの総ストレージ領域（バイト表現）。
−  ストレージＳＴの空きストレージ領域（バイト表現）。
−  ストレージＳＴのファイルシステム（たとえば、ＦＡＴ、ＦＡＴ３２、ｅｘＦＡＴ、ＮＴＦＳ、ｅｘｔ２、ｅｘｔ３、．．．）
−  ストレージ領域ＳＴのタイプ（公開／共有またはプライベート）。
−  ファイルが自動的に除去される前にストレージＳＴでホストされ得る期間。
−  アクセス時間（秒表現）。
−  入力／出力スループット（バイト／秒単位の読み込み／書き込み速度）
−  など。
【００３０】
この実施形態では、送信される能力は、ストレージＳＴの総ストレージ領域および空きストレージ領域に限定されている。もちろん、他の実施形態では、ストレージ能力アドバタイズ情報要素は、より多いまたはより少ない能力を含むことができる。好ましくは、ストレージ能力アドバタイズ情報要素は、ストレージ能力ごとに１つの別個のサブ要素を備える。
【００３１】
ビーコンフレーム内でアドバタイズされる能力の選択はトレードオフである：一方では、ビーコンフレームは、これらのストレージ能力を表すデータにより過負荷となってはならない。他方では、アドバタイズされる能力は、ワイヤレスネットワークを適切に選択できるようにするのに十分でなければならない。アドバタイズされる能力は、ユーザまたはソフトウェアモジュールが、いくつかの利用可能なワイヤレスネットワークの中の最良のワイヤレスネットワークを効率的に選択しこれに接続することが可能となるように、選択される。ワイヤレス伝送能力に加えて、（ストレージ）サービスの面でのユーザ／クライアントの期待に沿うワイヤレスネットワークを選択するために、ストレージ能力が考慮される。
【００３２】
ワイヤレスネットワークがいくつかの別個のストレージを備える場合、サブ要素は、ワイヤレスネットワークを介してアクセス可能な総ストレージ領域、好ましくは空きストレージ領域を搬送するのが好ましい。
【００３３】
異なるＷｉＦｉアクセスポイントＡＰ１、．．．、ＡＰ４の所有者または管理者は、情報要素ＳＣＡＩＥ１またはＳＣＡＩＥ２を備えるビーコンフレームを定期的に送信するように全てのこれらのアクセスポイントＡＰ１、．．．、ＡＰ４を構成し、これは彼／彼女が古典的に、ワイヤレスネットワークの識別子などの古典的なＷｉＦｉパラメータを備えるビーコンフレームを送信するようにアクセスポイントを構成するのと同様である。
【００３４】
ストレージリソース間の負荷分散戦略を考慮するために、またはいくつかの優先度属性を課すために、ＷｉＦｉアクセスポイントＡＰ１、．．．、ＡＰ４の所有者または管理者は、ストレージリソースの一部のみをＷｉＦｉクライアントにアドバタイズするために、（空き）ストレージ容量を表す値を制限することができる。
【００３５】
本発明によるワイヤレス端末の実施形態ＷＴは、本発明による方法を実装する、すなわち以下のステップを実施するように構成されたクライアントソフトウェアを実行するプロセッサを備える：
−  ワイヤレス端末ＷＴにおいてビーコンフレームを受信するステップ、
−  受信されたビーコンフレームからワイヤレスローカルネットワーク識別子を抽出するステップ。これは、図１の例におけるネットワークＷＬＡＮ１、ＷＬＡＮ２、ＷＬＡＮ３、およびＷＬＡＮ４の１つを指定する。
−  各ビーコンフレーム内で、ストレージ能力に関する情報を搬送する１つまたはいくつかの情報要素を認識するステップ。これは、図５および図６を参照して説明された２つの情報要素ＳＣＡＩＥ１、ＳＣＡＩＥ２のいずれか一方とすることができる。
−  ストレージ能力に関する情報を搬送する情報要素から、ストレージ能力を記述するサブ要素を抽出するステップ。
【００３６】
図１の例において、アクセスポイントＡＰ１により送信されるビーコンフレームから抽出されるサブ要素は、ワイヤレスネットワークＷＬＡＮ１に接続されたストレージＳＴ１の能力を記述する。アクセスポイントＡＰ２により送信されるビーコンフレームから抽出されるサブ要素は、ワイヤレスネットワークＷＬＡＮ２に接続されたストレージＳＴ２の能力を記述する。アクセスポイントＡＰ３により送信されるビーコンフレームから抽出されるサブ要素は、ワイヤレスネットワークＷＬＡＮ３に接続されたストレージＳＴ３の能力を記述する。アクセスポイントＡＰ４により送信されるビーコンフレームから抽出されるサブ要素は、ワイヤレスネットワークＷＬＡＮ４に接続されたストレージＳＴ４の能力を記述する。
【００３７】
ビーコンフレーム内で、ストレージ能力に関する情報を搬送する情報要素を認識するステップについて、２つのケースが区別されなければならない：
１）ストレージ能力に関する情報を搬送する全ての情報要素に対して特定のヘッダが将来規格化される場合、それはこの特定のヘッダＩＥＩＤ３を認識することを含む。
２）ストレージ能力に関する情報を搬送する全ての情報要素に対して特定のヘッダが将来規格化されない場合、それは以下を含む：
−−  全てのベンダ固有情報要素に対して規格化済みの特定のヘッダＩＥＩＤ４（値２２１）を認識すること。
−−  そして、それがベンダ固有情報要素として認識された場合に、この情報要素内の所与の組織識別子ＯＩＤ２を認識すること。
【００３８】
両方のケースにおいて、情報サブ要素が、ストレージ能力を記述するために使用される。
【００３９】
端末の第１の実施形態では、クライアントソフトウェアは、アクセス可能なワイヤレスローカルエリアネットワークＷＬＡＮ１、ＷＬＡＮ２、ＷＬＡＮ３、ＷＬＡＮ４ごとのストレージ能力を表示し、それらの１つをユーザに選択するように促す。ユーザは手動で１つのワイヤレスローカルエリアネットワークを選択する。
【００４０】
端末の第２の実施形態では、クライアントは、アドバタイズされたワイヤレス伝送能力と、これらのワイヤレスローカルエリアネットワークのそれぞれのストレージ能力に関するアドバタイズされた情報との両方に応じて、１つのワイヤレスローカルエリアネットワークを自動的に選択するように構成される。
【００４１】
ワイヤレスローカルエリアネットワークの選択後、クライアントソフトウェアは、選択されたワイヤレスローカルエリアネットワークに端末ＷＴを接続する。接続は、選択されたワイヤレスローカルエリアネットワークに対応するアクセスポイントの１つを介して、セットアップされる。クライアントソフトウェアは、ストレージ能力に関する追加情報を、古典的な方法で、すなわち選択されたワイヤレスローカルエリアネットワークに接続した後に要求することができる。たとえば、ローカルエリアＷＬＡＮ４が選択された場合、また、アクセスポイントＡＰ４により送信されるビーコンフレームが、ワイヤレスローカルエリアネットワークＷＬＡＮ４の総ストレージ領域の値のみをアドバタイズする場合、クライアントは、ワイヤレスローカルエリアネットワークＷＬＡＮ４における空きストレージ領域の値を要求するために、端末ＷＴをアクセスポイントＡＰ４に接続した後に、要求を送信することができる。
【００４２】
本発明により、あらゆる接続の前に、ストレージ能力をアドバタイズすることが可能となる。それでもなお、選択されたネットワークに端末を接続した後に、選択されたネットワークのストレージリソースにアクセスするために、認証ステップがなおも適用され得る。
【図１】
2017509273.tif 000003
【図２】
2017509273.tif 000004
【図３】
2017509273.tif 000005
【図４】
2017509273.tif 000006
【図５】
2017509273.tif 000007
【図６】
2017509273.tif 000008
【国際調査報告】
2017509273.tif 000009
2017509273.tif 000010